(57)【要約】【課題】磁石と磁性体との間の吸引力を利用した磁気回路を、より磁界（磁力線）の漏れが少なく、かつ、より安価に製造することが可能な技術を提供する。【解決手段】磁石とヨーク板とを含む第１の磁性体と、第２の磁性体と、を備え、前記第１の磁性体および前記第２の磁性体により閉磁路が形成される、磁気回路が提供される。【選択図】図３
2014112541.tif 000002
【特許請求の範囲】
【請求項１】
磁石とヨーク板とを含む第１の磁性体と、
第２の磁性体と、を備え、
前記第１の磁性体および前記第２の磁性体により閉磁路が形成される、
磁気回路。
【請求項２】
前記ヨーク板は、前記第２の磁性体側に開口空間を形成し、
前記磁石は、前記開口空間または前記ヨーク板に挟まれる位置に配置される、
請求項１に記載の磁気回路。
【請求項３】
前記第１の磁性体または前記第２の磁性体の一方の磁性体は、可動体に設けられ、
他方の磁性体は、支持部材に設けられ、
前記支持部材は、前記第１の磁性体と前記第２の磁性体との吸着により前記可動体を支持する、
請求項１に記載の磁気回路。
【請求項４】
前記第１の磁性体は、前記支持部材に設けられ、
前記第２の磁性体は、前記可動体に設けられる、
請求項３に記載の磁気回路。
【請求項５】
前記第２の磁性体は、前記可動体の縁部に形成され、
前記第１の磁性体は、前記第２の磁性体と吸着される位置であって、前記可動体の昇降範囲の外側に形成される、
請求項３に記載の磁気回路。
【請求項６】
前記支持部材は、前記可動体の高さ方向と直交する水平面に対して傾斜するガイド面を有し、
前記可動体は、前記ガイド面を摺動する摺動部を備える、
請求項３に記載の磁気回路。
【請求項７】
前記支持部材に設けられた磁性体の厚みは、前記可動体に設けられた磁性体の厚みよりも大きい、
請求項３に記載の磁気回路。
【請求項８】
前記ヨーク板の前記第２の磁性体側の端部は、前記磁石よりも前記第２の磁性体に対して突出する、
請求項１に記載の磁気回路。
【請求項９】
前記磁石は、前記開口空間に配置され、前記第１の磁性体および前記第２の磁性体により２つの閉磁路が形成される、
請求項２に記載の磁気回路。
【請求項１０】
前記磁石は、前記ヨーク板に挟まれる位置に配置され、前記第１の磁性体および前記第２の磁性体により単一の閉磁路が形成される、
請求項２に記載の磁気回路。
【請求項１１】
前記第１の磁性体は、複数の磁石とヨーク板とを含み、
前記ヨーク板は、前記第２の磁性体側に複数の磁石それぞれに対応する開口空間を形成し、
前記複数の磁石それぞれは、対応する開口空間に配置され、前記第１の磁性体および前記第２の磁性体により複数の閉磁路が形成される、
請求項２に記載の磁気回路。
【請求項１２】
前記磁石は、第１の磁石および第２の磁石を含み、
前記第１の磁石および前記第２の磁石は、前記ヨーク板を基準として前記第２の磁性体側に配置され、
前記第１の磁石、前記ヨーク板、前記第２の磁石および前記第２の磁性体により閉磁路が形成される、
請求項１に記載の磁気回路。
【請求項１３】
前記一方の磁性体は、前記可動体に固定される突出部を備え、
前記他方の磁性体は、前記支持部材に固定される突出部を備える、
請求項３に記載の磁気回路。
【請求項１４】
請求項６に記載の磁気回路を有し、前記可動体は、ユーザにより押圧されるキートップである、キー入力装置。
【請求項１５】
前記ガイド面は、前記キートップがユーザにより押圧された場合に前記ユーザの位置を基準として奥から手前に前記摺動部が摺動するように傾斜している、
請求項１４に記載のキー入力装置。
【請求項１６】
磁気回路を有し、
前記磁気回路は、磁石とヨーク板とを含む第１の磁性体と、
第２の磁性体と、を備え、
前記第１の磁性体および前記第２の磁性体により閉磁路が形成される、
キー入力装置。
【請求項１７】
前記ヨーク板は、前記第２の磁性体側に開口空間を形成し、
前記磁石は、前記開口空間または前記ヨーク板に挟まれる位置に配置される、
請求項１６に記載のキー入力装置。
【請求項１８】
前記第１の磁性体または前記第２の磁性体の一方の磁性体は、可動体に設けられ、
他方の磁性体は、支持部材に設けられ、
前記支持部材は、前記第１の磁性体と前記第２の磁性体との吸着により前記可動体を支持する、
請求項１６に記載のキー入力装置。
【請求項１９】
前記第１の磁性体は、前記支持部材に設けられ、
前記第２の磁性体は、前記可動体に設けられる、
請求項１８に記載のキー入力装置。
【請求項２０】
前記第２の磁性体は、前記可動体の縁部に形成され、
前記第１の磁性体は、前記第２の磁性体と吸着される位置であって、前記可動体の昇降範囲の外側に形成される、
請求項１８に記載のキー入力装置。
【請求項２１】
前記支持部材は、前記可動体の高さ方向と直交する水平面に対して傾斜するガイド面を有し、
前記可動体は、前記ガイド面を摺動する摺動部を備える、
請求項１８に記載のキー入力装置。
【請求項２２】
前記支持部材に設けられた磁性体の厚みは、前記可動体に設けられた磁性体の厚みよりも大きい、
請求項１８に記載のキー入力装置。
【請求項２３】
前記ヨーク板の前記第２の磁性体側の端部は、前記磁石よりも前記第２の磁性体に対して突出する、
請求項１６に記載のキー入力装置。
【発明の詳細な説明】
【技術分野】
【０００１】
本開示は、磁気回路およびキー入力装置に関する。
【背景技術】
【０００２】
近年、キーボードなどといったキー入力装置の薄型化に関する開発が進められている。例えば、ＰＣ（Ｐｅｒｓｏｎａｌ  Ｃｏｍｐｕｔｅｒ）のキーボードには、ラバードームおよびシザース機構を備えるキー入力装置が主に使用されている。かかるキー入力装置においては、ユーザによるキートップに対する押圧によりシザース機構に水平に支持されたキートップがラバードームを押し下げ、その結果としてメンブレンシート回路において電気的接続がなされて入力信号が伝わる仕組みを採用している。
【０００３】
ラバードームは一般的に安価に製造することが可能であるため、かかるキー入力装置も安価に製造することが可能である。しかし、ラバードームおよびシザース機構のさらなる薄型化には限界がある。例えば、ラバードームをさらに薄くすると、ラバードームの座屈特性の悪化によりユーザに与えるキートップ押下の感覚（以下、「クリック感」とも言う。）が低下し、不明瞭になる。また、例えば、シザース機構をさらに薄くすると、シザース機構の強度が低下し、耐久性が損なわれてしまう。
【０００４】
そこで、ラバードームの座屈特性に代えて、例えば、磁石対（あるいは磁石と鉄片などの磁性体との間）に生じる磁気的吸引力または吸引力を利用した方式が提案されている（例えば、特許文献１参照）。かかる（磁力を利用した）方式をキー入力装置に適用すれば、磁石対（あるいは磁石と鉄片などの磁性体との間）に生じる磁気的吸着力または吸引力をキートップの位置を維持するための力として利用することができるため、ユーザに与えるクリック感の低下を抑えつつ、キー入力装置のさらなる薄型化を実現することが可能となる。
【先行技術文献】
【特許文献】
【０００５】
【特許文献１】米国特許出願公開第２０１２／０１６９６０３号明細書
【発明の概要】
【発明が解決しようとする課題】
【０００６】
しかしながら、かかる技術では、１つまたは複数の磁石対、あるいは磁石と鉄片などの磁性体を、磁化方向に配置した「開磁路」であるために、対向しない磁石の磁極面あるいは鉄片などの磁性体に現れる磁極面から周辺空間を経る磁界（磁力線）の漏れ、すなわち「漏れ磁束」が大きく、製品の外部または内部の磁気記録媒体やセンサ等への磁気ノイズ等の悪影響が懸念される。さらに、１つまたは複数の磁石対などを用いるため、製造コストが高くなってしまう。したがって、磁石によって生じる磁気的吸着力または吸引力を利用し、かつ、安価に製造することが可能な技術が実現されることが望ましい。
【課題を解決するための手段】
【０００７】
本開示の実施形態によれば、磁石とヨーク板とを含む第１の磁性体と、第２の磁性体と、を備え、前記第１の磁性体および前記第２の磁性体により閉磁路が形成される、磁気回路が提供される。
【発明の効果】
【０００８】
以上説明したように本開示によれば、１つの磁石からの磁界（磁力線）を周辺空間へ大きく漏らすことなく、かつ、有効に利用できる。その結果、磁石と磁性体との間の磁気的吸着力または吸引力を利用した磁気回路をより安価に製造することが可能である。また、漏れ磁束を減らすことが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の実施形態に係る情報処理装置の外観例を示す図である。
【図２】本開示の実施形態に係るキーボードの外観例を示す図である。
【図３】本開示の第１の実施形態に係るキー入力装置の平面図の一例である。
【図４】本開示の第１の実施形態に係るキー入力装置の側面図の一例である。
【図５】本開示の第１の実施形態に係るキー入力装置の分解斜視図の一例である。
【図６】本開示の第１の実施形態に係るキー入力装置のキー入力時における動きの例を示す図である。
【図７】キートップの押し込み量とキートップに対して与えられる荷重との関係を示す図である。
【図８】キートップ押し込み開始時における磁界（磁力線）分布を示す図である。
【図９】キートップが押し込まれている状態における磁界（磁力線）分布を示す図である。
【図１０】キートップ押し込み終了時における磁界（磁力線）分布を示す図である。
【図１１Ａ】本開示の第１の実施形態に係る磁気回路の一例におけるヨークと磁性体近傍の磁界（磁力線）分布を示す図である。
【図１１Ｂ】図１１Ａに示した状態と比較して磁性体同士の距離が広い状態におけるヨークと磁性体近傍の磁界（磁力線）分布を示す図である。
【図１１Ｃ】図１１Ａに示した状態と比較して支持部材に設けられた磁性体の厚みを増した状態におけるヨークと磁性体近傍の磁界（磁力線）分布を示す図である。
【図１１Ｄ】図１１Ｃに示した状態と比較して磁性体同士の距離が広い状態におけるヨークと磁性体近傍の磁界（磁力線）分布を示す図である。
【図１１Ｅ】図１１Ｃに示した状態と比較して支持部材に設けられた磁性体の厚みを増した状態におけるヨークと磁性体近傍の磁界（磁力線）分布を示す図である。
【図１１Ｆ】図１１Ｅに示した状態と比較して磁性体同士の距離が広い状態におけるヨークと磁性体近傍の磁界（磁力線）分布を示す図である。
【図１２】本開示の第１の実施形態の変形例に係る磁気回路の一例におけるヨークと磁性体近傍の磁界（磁力線）分布を示す図である。
【図１３】本開示の第２の実施形態に係る磁気回路の一例におけるヨークと磁性体近傍の磁界（磁力線）分布を示す図である。
【図１４】本開示の第３の実施形態に係る磁気回路の一例におけるヨークと磁性体近傍の磁界（磁力線）分布を示す図である。
【図１５】本開示の第４の実施形態に係る磁気回路の一例におけるヨークと磁性体近傍の磁界（磁力線）分布を示す図である。
【図１６】比較例に係るキートップ押し込み開始時における磁界（磁力線）分布を示す図である。
【図１７】比較例に係るキートップが押し込まれている状態における磁界（磁力線）分布を示す図である。
【図１８】比較例に係るキートップ押し込み終了時における磁界（磁力線）分布を示す図である。
【図１９】本開示の第１の実施形態に係る磁気回路の一例におけるヨークと磁性体近傍の磁界（磁力線）分布および磁束密度分布を示す図である。
【図２０】本開示の第５の実施形態に係る磁気回路の一例におけるヨークと磁性体近傍の磁界（磁力線）分布および磁束密度分布を示す図である。
【図２１】磁石対が用いられる場合における磁性体近傍の磁界（磁力線）分布および磁束密度分布を示す図である。
【図２２】磁石対が用いられる場合において磁石に作用する磁気的吸引力とユーザによるキートップへの押圧によって複数の摺動部それぞれに作用する力とを示す図である。
【図２３】本開示の第５の実施形態において第２の磁性体に作用する磁気的吸引力とユーザによるキートップへの押圧によって複数の摺動部それぞれに作用する力とを示す図である。
【図２４】本開示の第６の実施形態に係る磁気回路の一例におけるヨークと磁性体近傍の磁界（磁力線）分布および磁束密度分布を示す図である。
【図２５】本開示の第６の実施形態に係る磁気回路の固定状態の例を示す側面図である。
【発明を実施するための形態】
【００１０】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１１】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１２】
また、以下に示す項目順序に従って当該「発明を実施するための形態」を説明する。
１．実施形態
１−１．情報処理装置の外観例
１−２．キー入力装置の外観例
２．第１の実施形態
２−１．キー入力単位の構成例
２−２．キー入力単位の動きの例
２−３．磁界（磁力線）分布の変化の例
２−４．磁性体の厚みと磁界（磁力線）分布との関係
２−５．変形例
３．第２の実施形態
４．第３の実施形態
５．第４の実施形態
６．第５の実施形態
７．第６の実施形態
８．むすび
【００１３】
＜＜１．実施形態＞＞
以下、本開示の実施形態について説明する。
【００１４】
［１−１．情報処理装置の外観例］
最初に、本開示の実施形態に係る情報処理装置１０の外観例について説明する。図１は、本開示の実施形態に係る情報処理装置１０の外観例を示す図である。図１に示したように、情報処理装置１０は、キー入力装置１２を備えている。ここで、図１には、情報処理装置１０がノート型ＰＣ（Ｐｅｒｓｏｎａｌ  Ｃｏｍｐｕｔｅｒ）である場合について示されているが、情報処理装置１０はキー入力装置１２を備える他のＰＣ（例えば、デスクトップ型ＰＣなど）であってもよい。
【００１５】
また、キー入力装置１２は、本開示の実施形態に係る磁気回路が組み込まれる装置の一例に過ぎない。そのため、本開示の実施形態に係る磁気回路は、キー入力装置１２以外の装置に組み込まれてもよい。例えば、本開示の実施形態に係る磁気回路は、ボタン操作による入力を受け付ける入力装置に組み込まれてもよい。本開示の実施形態に係る磁気回路は、キー入力装置１２以外の装置に組み込まれる場合には、情報処理装置１０は提供されなくてもよい。
【００１６】
以上、本開示の実施形態に係る情報処理装置１０の外観例について説明した。
【００１７】
［１−２．キー入力装置の外観例］
続いて、本開示の実施形態に係るキー入力装置１２の外観例について説明する。図２は、本開示の実施形態に係るキー入力装置１２の外観例を示す図である。キー入力装置１２は、複数のキー入力単位を有しており、図２には、複数のキー入力単位の例として、キー入力単位１００が示されている。なお、以下では、図２に示したキー入力単位１００の機能について説明するが、複数のキー入力単位を代表して説明するに過ぎない。したがって、他のキー入力単位も同様に機能し得る。
【００１８】
以上、本開示の実施形態に係るキー入力装置１２の外観例について説明した。
【００１９】
＜＜２．第１の実施形態＞＞
続いて、本開示の第１の実施形態について説明する。
【００２０】
［２−１．キー入力単位の構成例］
まず、本開示の第１の実施形態に係るキー入力単位１００の構成例について説明する。図３は、本開示の第１の実施形態に係るキー入力単位１００の平面図の一例である。図４は、本開示の第１の実施形態に係るキー入力単位１００の側面図の一例である。図５は、本開示の第１の実施形態に係るキー入力単位１００の分解斜視図の一例である。
【００２１】
図３に示すように、キー入力単位１００は、磁気回路３００Ａとキートップ１３０と支持部材２００とを備えている。キートップ１３０は、可動体の一例に過ぎない。したがって、磁気回路３００Ａがキー入力装置１２以外の装置に組み込まれる場合においては、可動体としてキートップ１３０の代わりに他の可動体（例えば、ボタンなど）が用いられてもよい。また、図３に示すように、磁気回路３００Ａは、第１の磁性体１１０Ａと第２の磁性体１２０とを備えており、第１の磁性体１１０Ａは、磁石１１２とヨーク板１１１Ａとを含んでいる。磁石１１２の種類は特に限定されない。例えば、磁石１１２は、永久磁石であってもよいし、電磁石であってもよい。
【００２２】
ここで、図３に示したように、磁気回路３００Ａは、磁石１１２と第２の磁性体１２０との間の吸引力をキートップ１３０の位置を維持するための力として利用することができる。さらに、本開示の実施形態においては、磁石１１２と第２の磁性体１２０との間の吸引力を利用した磁気回路３００Ａをより安価に製造することが可能となる。
【００２３】
より詳細には、図３に示すように、ヨーク板１１１Ａが第２の磁性体１２０側に開口空間１６０Ａを形成し、磁石１１２が開口空間１６０Ａに配置される。図３に示した例では、開口空間１６０Ａの形状が矩形になっているが、後に説明するように、開口空間１６０Ａの形状は限定されない。また、図３に示した例では、開口空間１６０Ａが１つ形成されているが、開口空間１６０Ａは複数形成されてもよい。
【００２４】
かかる構成によれば、第１の磁性体１１０Ａおよび第２の磁性体１２０により閉磁路が形成される。特に、図３に示した例では、磁石１１２が開口空間１６０Ａに配置されているため、第１の磁性体１１０Ａおよび第２の磁性体１２０により２つの閉磁路が形成されている。なお、閉磁路は、磁石１１２の磁極端からヨーク板１１１Ａおよび第２の磁性体１２０を経由し磁石１１２の他の磁極端に戻る磁界（磁力線）の経路に相当する。
【００２５】
このように、空気よりも透磁率が高い（磁気抵抗が小さい）磁性材料からなる空間を、磁界（磁力線）の経路とする閉じ込め磁気回路（閉磁路）が形成されることにより、磁石１１２から発生される磁界（磁力線）が特定の部位に集中し、漏れ磁束を低減することが可能となる。
【００２６】
さらに、漏れ磁束が低減することにより、他の効果を奏することも期待できる。例えば、周囲に与える磁気的な影響を低減することが可能となる。磁気的な影響としては、例えば、磁石１１２の周囲に磁気記録媒体が存在する場合、その磁気記録媒体に記録されたデータが磁石１１２からの磁気により破壊されてしまうという影響が想定される。漏れ磁束が低減することにより、このような影響を低減することが可能となる。
【００２７】
また、不要な漏れ磁束を低減すると同時に、適切に磁路を形成することで磁石１１２と第２の磁性体１２０との間の吸引力を向上させることが可能になる。すなわち、磁石１１２を小型化しても吸引力を維持することが可能であるため、必要な磁石１１２の量が低減され、磁石１１２と第２の磁性体１２０との間の吸引力を利用した磁気回路３００Ａをより安価に製造することが可能となる。また、必要な磁石１１２の量が低減されるため、環境に対して与える負荷も低減することが可能となる。
【００２８】
また、他の磁気的な影響としては、例えば、磁石１１２の周囲にセンサが存在する場合、そのセンサによるセンシング結果に電磁気的な雑音を与えてしまうという影響が想定される。センサとしては、例えば、地磁気センサ、静電容量方式のセンサなどが想定される。漏れ磁束が低減することにより、このような影響を低減することが可能となる。
【００２９】
また、他の磁気的な影響としては、例えば、磁石１１２の周囲に塵が付着しやすくなってしまうという影響が想定される。例えば、磁気回路３００Ａがキー入力装置１２に組み込まれる場合には、キー入力装置１２の表面に塵が付着しやすくなってしまうという影響が想定される。漏れ磁束が低減することにより、このような影響を低減することが可能となる。
【００３０】
なお、後に説明するように、磁石１１２は、開口空間１６０Ａに配置されなくてもよい。例えば、磁石１１２は、ヨーク板１１１Ａに挟まれる位置に配置されてもよい。したがって、磁石１１２は、開口空間１６０Ａまたはヨーク板１１１Ａに挟まれる位置に配置されてもよい。
【００３１】
ここで、ユーザがキーの入力をしようと考え、キートップ１３０に対して押圧を掛けた場合には、磁石１１２と第２の磁性体１２０とが吸着された状態が解除されてキートップ１３０が下降し、キートップ１３０の下降により電気的接続がなされて入力信号が発生する。例えば、この入力信号が情報処理装置１０に伝わることにより、情報処理装置１０は、このキーがユーザにより入力されたことを検出することができる。
【００３２】
キートップ１３０は、斜め下向きに下降するのがよい。
【００３３】
そのため、図４に示すように、支持部材２００は、キートップ１３０の高さ方向と直交する水平面に対して傾斜するガイド面１４１を有し、キートップ１３０は、ガイド面１４１を摺動する摺動部１５０を備えていてもよい。ガイド面１４１は、支持部材２００が有するガイド部１４０に設けられている。ガイド面１４１の形状は、平面であってもよいし、曲面であってもよい。
【００３４】
また、ユーザがキートップ１３０に対する押圧を解除した場合には、キートップ１３０が上昇し、磁石１１２と第２の磁性体１２０とが吸着された状態に戻る。なお、図５には、摺動部１５０がキートップ１３０の四隅に設けられ、ガイド部１４０が支持部材２００の四隅に設けられる場合について示されているが、ガイド部１４０が設けられる位置および数は特に限定されない。また、摺動部１５０が設けられる位置および数は特に限定されない。
【００３５】
以上、本開示の実施形態に係るキー入力単位１００の構成例について説明した。
【００３６】
［２−２．キー入力単位の動きの例］
続いて、本開示の第１の実施形態に係るキー入力単位１００の動きの例について説明する。図６は、本開示の第１の実施形態に係るキー入力単位１００のキー入力時における動きの例を示す図である。
【００３７】
第１の磁性体１１０Ａおよび第２の磁性体１２０のいずれがキートップ１３０に設けられ、いずれが支持部材２００に設けられてもよい。すなわち、第１の磁性体１１０Ａまたは第２の磁性体１２０の一方の磁性体は、キートップ１３０に設けられ、他方の磁性体は、支持部材２００に設けられればよい。その場合には、支持部材２００は、第１の磁性体１１０Ａと第２の磁性体１２０との吸着によりキートップ１３０を支持することができる。
【００３８】
しかし、図６に示した例では、第１の磁性体１１０Ａが支持部材２００に設けられ、第２の磁性体１２０がキートップ１３０に設けられている。このように、支持部材２００に第１の磁性体１１０Ａを設けた場合には磁石１１２が支持部材２００に固定されるため、第１の磁性体１１０Ａがキートップ１３０に設けられる場合と比較して、磁石自身が動くわけではないため、周囲に与える磁気変化の影響が少ない。例えば、地磁気センサなどは固定的な外来磁気ノイズには補正が可能であるが、変化する外来磁気ノイズには耐性が弱いという特性がある。
【００３９】
例えば、第１の磁性体１１０Ａがキートップ１３０に設けられる場合には、キートップ１３０にユーザが押圧を掛けると、第１の磁性体１１０Ａに含まれる磁石１１２が下降してしまう。その場合、例えば、磁石１１２の下側に電子機器（例えば、磁気記録媒体、センサなど）が内蔵されている場合には、磁石１１２から発せられた磁気が当該電子機器に対して影響を与えてしまう可能性がある。図６に示したように、支持部材２００に第１の磁性体１１０Ａを設けた場合には、そのような影響を与えてしまう可能性を低減することができる。
【００４０】
また、ガイド面１４１は、キートップ１３０がユーザにより押圧された場合に、ユーザの位置を基準として奥から手前に摺動部１５０が摺動するように傾斜していてもよいし、ユーザの位置を基準として手前から奥に摺動部１５０が摺動するように傾斜していてもよい。
【００４１】
図６には、ガイド面１４１が、キートップ１３０がユーザにより押圧された場合にユーザの位置を基準として奥から手前に移動量ｙだけ摺動部１５０が摺動するように傾斜している例が示されている。
【００４２】
なお、第１の磁性体１１０Ａが支持部材２００に設けられる場合には、キートップ１３０の昇降を妨げない位置であり、かつ、第２の磁性体１２０と吸着される位置に設けられている必要がある。すなわち、図６に示すように、第２の磁性体１２０は、キートップ１３０の縁部に形成され、第１の磁性体１１０Ａは、第１の磁性体と吸着される位置であって、キートップ１３０の昇降範囲の外側に形成されればよい。
【００４３】
図７は、キートップ１３０の押し込み量とキートップ１３０に対して与えられる荷重との関係を示す図である。上記したように、本開示の実施形態に係るキー入力装置１２においては、磁石１１２と第２の磁性体１２０との間の吸引力を利用している。そのため、キートップ１３０の押し込み量とキートップ１３０に対するユーザからの荷重との関係は、図７に示すような曲線（Ｎ字カーブ）となる。
【００４４】
キートップ１３０の押し込み量とキートップ１３０に対して与えられる荷重との関係は、このような曲線を描くため、ユーザに対してクリック感を与えることが可能となる。
【００４５】
以上、本開示の第１の実施形態に係るキー入力単位１００の動きの例について説明した。
【００４６】
［２−３．磁界（磁力線）分布の変化の例］
続いて、本開示の第１の実施形態に係る磁気回路３００Ａの一例における磁界（磁力線）分布の変化の例について説明する。図８は、キートップ押し込み開始時における磁界（磁力線）分布を示す図である。図９は、キートップが押し込まれている状態における磁界（磁力線）分布を示す図である。図１０は、キートップ押し込み終了時における磁界（磁力線）分布を示す図である。
【００４７】
図８を参照すれば、キートップ押し込み開始時においては、磁石１１２からの磁界（磁力線）の漏れは極めて少ないことが把握できる。なお、図８には、支持部材２００の厚みを長さＬＢとして示し、キートップ１３０の厚みを長さＬＫとして示し、磁石１１２の厚みをＬＧとして示している。
【００４８】
また、図９を参照すると、キートップが押し込まれている状態においては、磁石１１２からの磁界（磁力線）の漏れが生じているが、磁石１１２と第２の磁性体１２０との間隙近傍に磁界（磁力線）が集中しており、磁界（磁力線）の漏れが少ないことが把握される。なお、図９には、第２の磁性体１２０の下降量を長さＬＳ１として示している。
【００４９】
また、図１０を参照すると、キートップ押し込み終了時においては、磁石１１２と第２の磁性体１２０との間隙が広くなり、磁石１１２から漏れた磁界（磁力線）が支持部材２００にまで及んでいる。しかし、磁界（磁力線）の漏れを少なく抑えられていることが把握される。特に、磁石１１２の下側への磁界（磁力線）の漏れを抑えられているため、磁石１１２の下側に電子機器が内蔵されている場合には、磁石１１２からの漏れ磁束が当該電子機器に対して影響を与えてしまう可能性を低減することができる。
【００５０】
なお、図１０には、第２の磁性体１２０の下降量を長さＬＳ２として示している。
【００５１】
以上、本開示の第１の実施形態に係る磁気回路３００Ａの一例における磁界（磁力線）分布の変化の例について説明した。なお、比較例に係る磁石対の一例における磁界（磁力線）分布の変化の例については、図１６〜図１８を参照しながら、後に説明する。
【００５２】
［２−４．磁性体の厚みと磁界（磁力線）分布との関係］
続いて、支持部材２００に設けられた磁性体の厚みと磁界（磁力線）分布との関係について説明する。図１１Ａは、本開示の第１の実施形態に係る磁気回路３００Ａの一例におけるヨークと磁性体近傍の磁界（磁力線）分布を示す図である。図１１Ｂは、図１１Ａに示した状態と比較して磁性体同士の距離が広い状態におけるヨークと磁性体近傍の磁界（磁力線）分布を示す図である。相対する磁極面の間の磁気的吸引力は、概ね、吸引力を受ける磁極面の磁束密度の二乗に比例し、磁極面の面積に比例する関係にある。
【００５３】
図１１Ａおよび図１１Ｂに示した状態においては、ヨーク板１１１Ａおよび第２の磁性体１２０それぞれの厚みをＬＭ１として示している。図１１Ａに示した状態においては、磁性体間の相対する磁極面同士を通る磁力線が「７本」示されている。一方、図１１Ｂに示した状態においては、磁性体同士の距離が広がり、磁性体間の磁力線が「４本」示されている。
【００５４】
また、図１１Ｃは、図１１Ａに示した状態と比較して支持部材２００に設けられた磁性体の厚みを増した状態におけるヨークと磁性体近傍の磁界（磁力線）分布を示す図である。図１１Ｄは、図１１Ｃに示した状態と比較して磁性体同士の距離が広い状態におけるヨークと磁性体近傍の磁界（磁力線）分布を示す図である。
【００５５】
図１１Ｃおよび図１１Ｄに示した状態においては、第２の磁性体１２０の厚みをＬＭ１のままとし、ヨーク板１１１Ａの厚みをＬＭ２として示している。図１１Ｃに示した状態においては、磁性体間の磁力線が「１０本」示されている。一方、図１１Ｄに示した状態においては、磁性体同士の距離が広がり、磁性体間の磁力線が「６本」示されている。
【００５６】
また、図１１Ｅは、図１１Ｃに示した状態と比較して支持部材２００に設けられた磁性体の厚みを増した状態におけるヨークと磁性体近傍の磁界（磁力線）分布を示す図である。図１１Ｆは、図１１Ｅに示した状態と比較して磁性体同士の距離が広い状態におけるヨークと磁性体近傍の磁界（磁力線）分布を示す図である。
【００５７】
図１１Ｅおよび図１１Ｆに示した状態においては、第２の磁性体１２０の厚みをＬＭ１のままとし、ヨーク板１１１Ａの厚みをＬＭ３として示している。図１１Ｅに示した状態においては、磁性体間の磁力線が「１１本」示されている。一方、図１１Ｆに示した状態においては、磁性体同士の距離が広がり、磁性体間の磁力線が「８本」示されている。
【００５８】
図１１Ａ〜図１１Ｆに示したように、キートップ１３０に設けられた磁性体は、ユーザによるキートップ１３０に対する押圧があると、キートップ１３０とともに下降する。したがって、キートップ１３０に設けられた磁性体が下降または上昇することを考慮し、支持部材２００に設けられた磁性体の厚みは、キートップ１３０に設けられた磁性体の厚みよりも大きい方がよい。そうすれば、キートップ１３０に設けられた磁性体が下降した場合であっても、より強い吸引力を維持することが可能となる。
【００５９】
また、図１１Ａ〜図１１Ｆに示したように、支持部材２００に設けられた磁性体の厚みは大きいほど、より安定的に吸引力を維持することが可能となる。特に、磁性体同士の距離が広い場合においては、支持部材２００に設けられた磁性体の厚みを大きくすることによる相対する磁極面同士を通る磁力線の増加率の向上がより顕著であり、より安定的に吸引力を維持することが可能となっている。
【００６０】
以上、支持部材２００に設けられた磁性体の厚みと磁界（磁力線）分布との関係について説明した。
【００６１】
［２−５．変形例］
続いて、本開示の第１の実施形態の変形例に係る磁気回路３００Ａ’の一例における磁界（磁力線）分布について説明する。本開示の第１の実施形態の変形例は、本開示の第１の実施形態と磁気回路３００Ａ’の構成が異なる。したがって、本開示の第１の実施形態の変形例に係る磁気回路３００Ａ’について主に説明する。図１２は、本開示の第１の実施形態の変形例に係る磁気回路３００Ａ’の一例におけるヨークと磁性体近傍の磁界（磁力線）分布を示す図である。
【００６２】
図１２に示すように、磁気回路３００Ａ’は、第１の磁性体１１０Ａ’および第２の磁性体１２０を有している。ただし、本開示の第１の実施形態に係る第１の磁性体１１０Ａと比較して、本開示の第１の実施形態の変形例に係る第１の磁性体１１０Ａ’においては、ヨーク板１１１Ａの第２の磁性体１２０側の端部が、磁石１１２よりも第２の磁性体１２０に対して突出している。図１２には、ヨーク板１１１Ａの第２の磁性体１２０側の端部が、磁石１１２よりも第２の磁性体１２０に対して突出量ｘだけ突出している例が示されている。
【００６３】
このように構成されていれば、磁石１１２と第２の磁性体１２０とが直接衝突し、磁石１１２の破損を防止することが可能となり、磁気回路３００Ａ’の耐久性を向上させることが可能となる。特に、磁石１１２として、強力な永久磁石であるネオジム（Ｎｄ−Ｆｅ−Ｂ）磁石を使用した場合を想定すると、ネオジム磁石には、主成分の鉄の酸化防止用のメッキ処理がされている。したがって、メッキ処理が施された表面処理層の剥離を防止することも可能となる。
【００６４】
以上、本開示の第１の実施形態の変形例に係る磁気回路３００Ａ’の一例における磁界（磁力線）分布について説明した。
【００６５】
以上、本開示の第１の実施形態について説明した。
【００６６】
＜＜３．第２の実施形態＞＞
続いて、本開示の第２の実施形態について説明する。本開示の第２の実施形態は、本開示の第１の実施形態と磁気回路の構成が異なる。したがって、本開示の第２の実施形態に係る磁気回路３００Ｂについて主に説明する。図１３は、本開示の第２の実施形態に係る磁気回路３００Ｂの一例におけるヨークと磁性体近傍の磁界（磁力線）分布を示す図である。
【００６７】
図１３に示すように、磁気回路３００Ｂは、第１の磁性体１１０Ｂおよび第２の磁性体１２０を有している。本開示の第１の実施形態に係る第１の磁性体１１０Ａは、ヨーク板１１１Ａがコの字型であったが、本開示の第２の実施形態に係る第１の磁性体１１０Ｂにおいては、ヨーク板１１１Ｂが湾曲している。このように、ヨーク板１１１Ｂの形状は、特に限定されない。図１３には、ヨーク板１１１Ｂにより開口空間１６０Ｂが形成され、開口空間１６０Ｂに磁石１１２が配置されている例が示されている。
【００６８】
以上、本開示の第２の実施形態について説明した。
【００６９】
＜＜４．第３の実施形態＞＞
続いて、本開示の第３の実施形態について説明する。本開示の第３の実施形態は、本開示の第１の実施形態と磁気回路の構成が異なる。したがって、本開示の第３の実施形態に係る磁気回路３００Ｃについて主に説明する。図１４は、本開示の第３の実施形態に係る磁気回路３００Ｃの一例におけるヨークと磁性体近傍の磁界（磁力線）分布を示す図である。
【００７０】
図１４に示すように、磁気回路３００Ｃは、第１の磁性体１１０Ｃおよび第２の磁性体１２０を有している。本開示の第１の実施形態に係る磁石１１２は、開口空間１６０Ａに配置されたが、本開示の第３の実施形態に係る磁石１１２は、ヨーク板１１１Ｃに挟まれる位置に配置されている。図１３には、ヨーク板１１１Ｃにより開口空間１６０Ｃが形成されている例が示されている。
【００７１】
この例が示すように、磁石１１２は、ヨーク板１１１Ｃに挟まれる位置に配置され、図１４に示すように、第１の磁性体１１０Ｃおよび第２の磁性体第２の磁性体１２０により単一の閉磁路が形成されてもよい。すなわち、形成される閉磁路の数は、複数であってもよいし、単一であってもよい。
【００７２】
以上、本開示の第３の実施形態について説明した。
【００７３】
＜＜５．第４の実施形態＞＞
続いて、本開示の第４の実施形態について説明する。本開示の第４の実施形態は、本開示の第１の実施形態と磁気回路の構成が異なる。したがって、本開示の第４の実施形態に係る磁気回路３００Ｄについて主に説明する。図１５は、本開示の第４の実施形態に係る磁気回路３００Ｄの一例におけるヨークと磁性体近傍の磁界（磁力線）分布を示す図である。
【００７４】
図１５に示すように、磁気回路３００Ｄは、第１の磁性体１１０Ｄおよび第２の磁性体１２０を有している。本開示の第１の実施形態に係るヨーク板１１１Ａは、単一の開口空間１６０Ａを形成したが、本開示の第４の実施形態に係るヨーク板１１１Ｄは、複数の開口空間１６０Ｄを形成する。図１４には、ヨーク板１１１Ｄにより２つの開口空間１６０Ｄが形成されている例が示されている。
【００７５】
すなわち、第１の磁性体１１０Ｄは、複数の磁石１１２とヨーク板１１１Ｄとを含み、ヨーク板１１１Ｄは、第２の磁性体１２０側に複数の磁石１１２それぞれに対応する開口空間１６０Ｄを形成してもよい。そして、複数の磁石１１２それぞれは、対応する開口空間１６０Ｄに配置され、第１の磁性体１１０Ｄおよび第２の磁性体１２０により複数の閉磁路が形成されてもよい。
【００７６】
以上、本開示の第４の実施形態について説明した。
【００７７】
以上説明したように、本開示の実施形態によれば、磁石１１２とヨーク板１１１Ａとを含む第１の磁性体１１０Ａと、第２の磁性体１２０と、を備え、ヨーク板１１１Ａは、第２の磁性体１２０側に開口空間１６０Ａを形成し、磁石１１２は、開口空間１６０Ａまたはヨーク板１１１Ａに挟まれる位置に配置される、磁気回路３００Ａを提供することが可能である。
【００７８】
かかる構成によれば、磁石１１２と第２の磁性体１２０との間の吸引力を利用した磁気回路３００Ａをより安価に製造することが可能である。
【００７９】
ここで、本実施形態に係る磁気回路の効果をより明確に把握できるようにするため、比較例に係る磁石対の一例における磁界（磁力線）分布の変化の例について説明する。図１６は、比較例に係るキートップ押し込み開始時における磁界（磁力線）分布を示す図である。図１７は、比較例に係るキートップが押し込まれている状態における磁界（磁力線）分布を示す図である。図１８は、比較例に係るキートップ押し込み終了時における磁界（磁力線）分布を示す図である。
【００８０】
図１６〜図１８に示すように、比較例においては、磁石対（磁石９１２Ａおよび磁石９１２Ｂ）の間の吸引力をキートップ１３０の位置を維持するための力として利用することができる。図１６〜図１８を参照すれば、比較例においては、磁石対（磁石９１２Ａおよび磁石９１２Ｂ）又は磁石対を構成する磁石９１２Ａ（磁石９１２Ｂ）を中心に「８の字状」の磁力線の分布が、周辺の空間の水平及び垂直方向へ広がることが把握される。
【００８１】
＜＜６．第５の実施形態＞＞
続いて、本開示の第５の実施形態について説明する。本開示の第５の実施形態は、本開示の第１の実施形態と磁気回路の構成が異なる。したがって、本開示の第５の実施形態に係る磁気回路３００Ｅについて主に説明する。まず、本開示の第５の実施形態と比較される本開示の第１の実施形態についてさらに説明する。図１９は、本開示の第１の実施形態に係る磁気回路３００Ａの一例におけるヨークと磁性体近傍の磁界（磁力線）分布および磁束密度分布を示す図である。
【００８２】
図１９に示すように、ヨーク板１１１Ａと第２の磁性体１２０との間の磁束密度は磁石１１２と第２の磁性体１２０との間の磁束密度よりも低い。そこで、本開示の第１の実施形態においては、磁石１１２はヨーク板１１１Ａが形成する開口空間１６０Ａに配置されるため、第１の磁性体１１０Ａと第２の磁性体１２０との間の磁束密度は、両端が中央付近よりも低くなってしまう。
【００８３】
例えば、キートップ１３０が移動する場合、キートップ１３０の傾きや回転が生じてしまう可能性もある。その原因としては、第１の磁性体１１０Ａと第２の磁性体１２０との間の磁気的吸引力と複数の摺動部１５０との幾何学的配置の不均衡、ガイド面１４１と複数の摺動部１５０それぞれとの間に生じる対抗力（例えば、摩擦力など）の不平衡などが想定される。両端の磁束密度が中央付近の磁束密度よりも低い場合には、キートップ１３０の傾きや回転をさほど低減することができずに、キートップ１３０をスムーズに移動させることが困難な場合がある。
【００８４】
そこで、本開示の第５の実施形態においては、キートップ１３０の傾きや回転を低減することによって、キートップ１３０をスムーズに移動させることが可能な磁気回路３００Ｅについて主に説明する。図２０は、本開示の第５の実施形態に係る磁気回路３００Ｅの一例におけるヨークと磁性体近傍の磁界（磁力線）分布および磁束密度分布を示す図である。図２０に示すように、本開示の第５の実施形態に係る磁気回路３００Ｅは、第１の磁性体１１０Ｅと、第２の磁性体１２０とを備える。また、第１の磁性体１１０Ｅは、ヨーク板１１１Ｅ、第１の磁石１１２Ａおよび第２の磁石１１２Ｂを含んでいる。
【００８５】
図２０に示すように、第１の磁石１１２Ａおよび第２の磁石１１２Ｂは、ヨーク板１１１Ｅを基準として第２の磁性体１２０側に配置されている。そして、第１の磁石１１２Ａ、ヨーク板１１１Ｅ、第２の磁石１１２Ｂおよび第２の磁性体１２０によって閉磁路が形成されている。ここで、第１の磁石１１２Ａと第２の磁石１１２Ｂとの距離は特に限定されない。
【００８６】
図２０に示すように、本開示の第５の実施形態に係る磁気回路３００Ｅにおいては、第１の磁性体１１０Ｅと第２の磁性体１２０との間の磁束密度は、両端が中央付近よりも高くなっている。両端の磁束密度が中央付近の磁束密度よりも高い場合には、後にも説明するように、キートップ１３０の傾きや回転を低減することが可能となり、キートップ１３０をスムーズに移動させることが可能となる。なお、磁石の数、磁石の形状、第２の磁性体１２０の形状、ヨーク板１１１Ｅの形状などは特に限定されず、摺動部１５０の配置（例えば、摺動部１５０同士の位置関係や距離など）に応じて適切に設計されてよい。
【００８７】
続いて、本開示の第５の実施形態と比較される磁石対が用いられる場合についてさらに説明する。図２１は、磁石対が用いられる場合における磁性体近傍の磁界（磁力線）分布および磁束密度分布を示す図である。図２１に示すように、磁石対（磁石９１２Ａおよび磁石９１２Ｂ）が用いられる場合には、磁石９１２Ａおよび磁石９１２Ｂの対向する面の間に概ね一定の高い磁束密度が分布する。
【００８８】
しかし、摺動部１５０の配置によっては、本開示の第１の実施形態と同様に、キートップ１３０に傾きや回転が発生しやすい。特に、可動側（図２１に示した例では、磁石９１２Ａ）が固定側（図２１に示した例では、磁石９１２Ｂ）よりも相対的に幅広形状である場合には、キートップ１３０に傾きや回転が発生しやすい。
【００８９】
本開示の第５の実施形態に係る磁気回路３００Ｅの有用性についてさらに詳細に説明する。図２２は、磁石対が用いられる場合において磁石９１２Ｂに作用する磁気的吸引力とユーザによるキートップ１３０への押圧によって複数の摺動部１５０それぞれに作用する力とを示す図である。図２２には、磁石９１２Ｂに作用する磁気的吸引力が磁石９１２Ｂから磁石９１２Ａへの矢印によって示されており、磁気的吸引力に沿って軸Ｌ１０が示されている。また、図２２には、複数の摺動部１５０それぞれに作用する力が磁気的吸引力とは逆方向の矢印によって示されており、それぞれの力に沿って軸Ｌ１１および軸Ｌ１２が示されている。
【００９０】
また、図２３は、本開示の第５の実施形態において第２の磁性体１２０に作用する磁気的吸引力とユーザによるキートップ１３０への押圧によって複数の摺動部１５０それぞれに作用する力とを示す図である。図２３には、第１の磁石１１２Ａおよび第２の磁石１１２Ｂそれぞれに作用する磁気的吸引力が第２の磁性体１２０から第１の磁性体１１０Ｅへの矢印によって示されており、それぞれの磁気的吸引力に沿って軸Ｌ２１および軸Ｌ２２が示されている。また、図２３には、複数の摺動部１５０それぞれに作用する力が磁気的吸引力とは逆方向の矢印によって示されており、それぞれの力に沿って軸Ｌ２３および軸Ｌ２４が示されている。
【００９１】
図２２および図２３を参照すると、軸Ｌ１０と軸Ｌ１１および軸Ｌ１２との距離と比較して、軸Ｌ２１と軸２３との距離および軸Ｌ２２と軸Ｌ２４との距離は近いことが把握される。したがって、本開示の第５の実施形態においては、磁石対が用いられる場合と比較して、第２の磁性体１２０に作用する磁気的吸引力が、複数の摺動部１５０それぞれに作用する力に対抗するように発生しやすい。そこで、本開示の第５の実施形態によれば、キートップ１３０の傾きや回転を低減することによって、キートップ１３０をよりスムーズに移動させることが可能となる。
【００９２】
なお、本開示の第５の実施形態に係る磁気回路３００Ｅ’を用いた場合には、磁石対を用いた場合の４分の１程度の磁石を用いた場合であっても、磁石対を用いる場合と同等の操作力（ユーザがキートップ１３０に対する押圧を解除した場合に、キートップ１３０に対して生じる復元力）を得られることが実験により確認された。また、本開示の第４の実施形態と比較して、より広い範囲で操作力を制御することが可能である。
【００９３】
以上、本開示の第５の実施形態について説明した。
【００９４】
＜＜７．第６の実施形態＞＞
続いて、本開示の第６の実施形態について説明する。本開示の第６の実施形態は、本開示の第５の実施形態と磁気回路の構成が異なる。したがって、本開示の第６の実施形態に係る磁気回路３００Ｅ’について主に説明する。図２４は、本開示の第６の実施形態に係る磁気回路３００Ｅ’の一例におけるヨークと磁性体近傍の磁界（磁力線）分布および磁束密度分布を示す図である。
【００９５】
図２４に示すように、第１の磁性体１１０Ｅ（図２４に示した例では、ヨーク板１１１Ｅ）は、支持部材２００に固定される突出部１２１を備え、第２の磁性体１２０Ａは、キートップ１３０に固定される突出部１２１を備えていてもよい。本開示の第６の実施形態によれば、第１の磁性体１１０Ｅおよび第２の磁性体１２０Ａそれぞれが突出部１２１を備えることにより、第１の磁性体１１０Ｅを容易に支持部材２００に固定し、第２の磁性体１２０Ａを容易にキートップ１３０に容易に固定することが可能となる。
【００９６】
また、表面がメッキ処理された磁石の取り付けには一般的に接着剤が用いられるが、キートップ１３０や支持部材２００は樹脂製の場合などには、接合強度の経年劣化する可能性や、キー入力装置１２の変形による剥離の可能性があり、接合強度が向上しない。本開示の第６の実施形態によれば、接着剤を用いずに接合強度を高めることができる。
【００９７】
また、第１の磁性体１１０Ｅの突出部１２１および第２の磁性体１２０Ａの突出部１２１それぞれが設けられる位置は限定されないが、磁界の通過への影響が小さい位置（例えば、磁気回路３００Ｅ’の内側の空間など）に設けられるとよい。特に、磁石に対しては、製造工程において、切削処理、熱処理、メッキ処理などが施され得る。そのため、突出部１２１は、磁石よりも容易に加工され得るヨーク板１１１Ｅおよび第２の磁性体１２０Ａに追加されるのがよい。そうすれば、磁気回路３００Ｅ’の組み立てを、より確実に、かつ、より簡便に行うことが可能となり、キー入力装置１２の製造品質および製造コストを改善することが期待できる。
【００９８】
ここで、第１の磁性体１１０Ｅおよび第２の磁性体１２０Ａそれぞれの突出部１２１の形状は特に限定されない。図２５は、本開示の第６の実施形態に係る磁気回路３００Ｅ’の固定状態の例を示す側面図である。図２４および図２５に示すように、それぞれの突出部１２１には、挿入口１２２が形成されていてもよい。そして、図２５に示すように、ピン２１０が挿入口１２２を通って支持部材２００と第１の磁性体１１０Ｅとを固定し、ピン１３２が挿入口１２２を通ってキートップ１３０と第２の磁性体１２０Ａとを固定してもよい。
【００９９】
なお、図２４に示した例では、挿入口１２２の形状が円形であるが、挿入口１２２の形状は限定されない。また、上記では、第１の磁性体１１０Ｅが支持部材２００に固定される突出部１２１を備え、第２の磁性体１２０Ａがキートップ１３０に固定される突出部１２１を備える例を説明した。しかし、第２の磁性体１２０Ａが、支持部材２００に固定される突出部１２１を備え、第１の磁性体１１０Ｅが、キートップ１３０に固定される突出部１２１を備えていてもよい。
【０１００】
また、本開示の第６の実施形態では、本開示の第５の実施形態に係る磁気回路３００Ｅに突出部１２１を追加する場合について説明したが、かかる突出部１２１は、本開示の第６の実施形態と同様に、他の実施形態に係る磁気回路３００に追加されてもよい。
【０１０１】
例えば、突出部１２１は、本開示の第１の実施形態に係る磁気回路３００Ａに追加されてもよいし、本開示の第１の実施形態の変形例に係る磁気回路３００Ａ’に追加されてもよい。また、例えば、突出部１２１は、本開示の第２の実施形態に係る磁気回路３００Ｂに追加されてもよいし、本開示の第３の実施形態に係る磁気回路３００Ｃに追加されてもよいし、本開示の第４の実施形態に係る磁気回路３００Ｄに追加されてもよい。
【０１０２】
＜＜８．むすび＞＞
本開示の実施形態によれば、磁石１１２とヨーク板１１１Ａとを含む第１の磁性体１１０Ａと、第２の磁性体１２０と、を備え、第１の磁性体１１０Ａおよび第２の磁性体１２０により閉磁路が形成される、磁気回路が提供される。かかる磁気回路によれば、１つの磁石からの磁界（磁力線）を周辺空間へ大きく漏らすことなく、かつ、有効に利用できる。その結果、磁石と磁性体との間の磁気的吸着力または吸引力を利用した磁気回路をより安価に製造することが可能である。また、漏れ磁束を減らすことが可能となる。
【０１０３】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０５】
なお、以下のような構成も本開示の技術的範囲に属する。
（１）
磁石とヨーク板とを含む第１の磁性体と、
第２の磁性体と、を備え、
前記第１の磁性体および前記第２の磁性体により閉磁路が形成される、
磁気回路。
（２）
前記ヨーク板は、前記第２の磁性体側に開口空間を形成し、
前記磁石は、前記開口空間または前記ヨーク板に挟まれる位置に配置される、
前記（１）に記載の磁気回路。
（３）
前記第１の磁性体または前記第２の磁性体の一方の磁性体は、可動体に設けられ、
他方の磁性体は、支持部材に設けられ、
前記支持部材は、前記第１の磁性体と前記第２の磁性体との吸着により前記可動体を支持する、
前記（１）または（２）に記載の磁気回路。
（４）
前記第１の磁性体は、前記支持部材に設けられ、
前記第２の磁性体は、前記可動体に設けられる、
前記（３）に記載の磁気回路。
（５）
前記第２の磁性体は、前記可動体の縁部に形成され、
前記第１の磁性体は、前記第２の磁性体と吸着される位置であって、前記可動体の昇降範囲の外側に形成される、
前記（３）または（４）に記載の磁気回路。
（６）
前記支持部材は、前記可動体の高さ方向と直交する水平面に対して傾斜するガイド面を有し、
前記可動体は、前記ガイド面を摺動する摺動部を備える、
前記（３）〜（５）のいずれか一項に記載の磁気回路。
（７）
前記支持部材に設けられた磁性体の厚みは、前記可動体に設けられた磁性体の厚みよりも大きい、
前記（３）〜（６）のいずれか一項に記載の磁気回路。
（８）
前記ヨーク板の前記第２の磁性体側の端部は、前記磁石よりも前記第２の磁性体に対して突出する、
前記（１）〜（７）のいずれか一項に記載の磁気回路。
（９）
前記磁石は、前記開口空間に配置され、前記第１の磁性体および前記第２の磁性体により２つの閉磁路が形成される、
前記（２）に記載の磁気回路。
（１０）
前記磁石は、前記ヨーク板に挟まれる位置に配置され、前記第１の磁性体および前記第２の磁性体により単一の閉磁路が形成される、
前記（２）に記載の磁気回路。
（１１）
前記第１の磁性体は、複数の磁石とヨーク板とを含み、
前記ヨーク板は、前記第２の磁性体側に複数の磁石それぞれに対応する開口空間を形成し、
前記複数の磁石それぞれは、対応する開口空間に配置され、前記第１の磁性体および前記第２の磁性体により複数の閉磁路が形成される、
前記（２）に記載の磁気回路。
（１２）
前記磁石は、第１の磁石および第２の磁石を含み、
前記第１の磁石および前記第２の磁石は、前記ヨーク板を基準として前記第２の磁性体側に配置され、
前記第１の磁石、前記ヨーク板、前記第２の磁石および前記第２の磁性体により閉磁路が形成される、
前記（１）に記載の磁気回路。
（１３）
前記一方の磁性体は、前記可動体に固定される突出部を備え、
前記他方の磁性体は、前記支持部材に固定される突出部を備える、
前記（３）〜（７）のいずれか一項に記載の磁気回路。
（１４）
前記（６）に記載の磁気回路を有し、前記可動体は、ユーザにより押圧されるキートップである、
キー入力装置。
（１５）
前記ガイド面は、前記キートップがユーザにより押圧された場合に前記ユーザの位置を基準として奥から手前に前記摺動部が摺動するように傾斜している、
前記（１４）に記載のキー入力装置。
（１６）
磁気回路を有し、
前記磁気回路は、磁石とヨーク板とを含む第１の磁性体と、
第２の磁性体と、を備え、
前記第１の磁性体および前記第２の磁性体により閉磁路が形成される、
キー入力装置。
（１７）
前記ヨーク板は、前記第２の磁性体側に開口空間を形成し、
前記磁石は、前記開口空間または前記ヨーク板に挟まれる位置に配置される、
前記（１６）に記載のキー入力装置。
（１８）
前記第１の磁性体または前記第２の磁性体の一方の磁性体は、可動体に設けられ、
他方の磁性体は、支持部材に設けられ、
前記支持部材は、前記第１の磁性体と前記第２の磁性体との吸着により前記可動体を支持する、
前記（１６）に記載のキー入力装置。
（１９）
前記第１の磁性体は、前記支持部材に設けられ、
前記第２の磁性体は、前記可動体に設けられる、
前記（１８）に記載のキー入力装置。
（２０）
前記第２の磁性体は、前記可動体の縁部に形成され、
前記第１の磁性体は、前記第２の磁性体と吸着される位置であって、前記可動体の昇降範囲の外側に形成される、
前記（１８）に記載のキー入力装置。
（２１）
前記支持部材は、前記可動体の高さ方向と直交する水平面に対して傾斜するガイド面を有し、
前記可動体は、前記ガイド面を摺動する摺動部を備える、
前記（１８）に記載のキー入力装置。
（２２）
前記支持部材に設けられた磁性体の厚みは、前記可動体に設けられた磁性体の厚みよりも大きい、
前記（１８）に記載のキー入力装置。
（２３）
前記ヨーク板の前記第２の磁性体側の端部は、前記磁石よりも前記第２の磁性体に対して突出する、
前記（１６）に記載のキー入力装置。
【符号の説明】
【０１０６】
１０    情報処理装置
１２    キー入力装置
１００  キー入力単位
１１０Ａ、１１０Ｂ、１１０Ｃ、１１０Ｄ、１１０Ｅ  第１の磁性体
１１１Ａ、１１１Ｂ、１１１Ｃ、１１１Ｄ、１１１Ｅ  ヨーク板
１１２  磁石
１１２Ａ  第１の磁石
１１２Ｂ  第２の磁石
１２０（１２０Ａ）  第２の磁性体
１２１  突出部
１２２  挿入孔
１３０  キートップ
１４０  ガイド部
１４１  ガイド面
１５０  摺動部
１６０Ａ、１６０Ｂ、１６０Ｃ、１６０Ｄ  開口空間
２００  支持部材
３００Ａ、３００Ａ’、３００Ｂ、３００Ｃ、３００Ｄ、３００Ｅ、３００Ｅ’  磁気回路
【図１】
2014112541.tif 000003
【図２】
2014112541.tif 000004
【図３】
2014112541.tif 000005
【図４】
2014112541.tif 000006
【図５】
2014112541.tif 000007
【図６】
2014112541.tif 000008
【図７】
2014112541.tif 000009
【図８】
2014112541.tif 000010
【図９】
2014112541.tif 000011
【図１０】
2014112541.tif 000012
【図１１Ａ】
2014112541.tif 000013
【図１１Ｂ】
2014112541.tif 000014
【図１１Ｃ】
2014112541.tif 000015
【図１１Ｄ】
2014112541.tif 000016
【図１１Ｅ】
2014112541.tif 000017
【図１１Ｆ】
2014112541.tif 000018
【図１２】
2014112541.tif 000019
【図１３】
2014112541.tif 000020
【図１４】
2014112541.tif 000021
【図１５】
2014112541.tif 000022
【図１６】
2014112541.tif 000023
【図１７】
2014112541.tif 000024
【図１８】
2014112541.tif 000025
【図１９】
2014112541.tif 000026
【図２０】
2014112541.tif 000027
【図２１】
2014112541.tif 000028
【図２２】
2014112541.tif 000029
【図２３】
2014112541.tif 000030
【図２４】
2014112541.tif 000031
【図２５】
2014112541.tif 000032